(57)【要約】【課題】ロータンク本体の外壁面に回動自在に設けた操作ハンドルと、この操作ハンドルと排水弁とを連結して操作ハンドルの回動により排水弁を開閉可能とした連結材とを備えてなる水洗便器のロータンクにおいて、ロータンク内の部品干渉がなくロータンク小型化を実現できる水洗便器のロータンクを提供すること。【解決手段】連結材を紐材９から形成し、ロータンク本体１の外壁１ａに貫通孔を設け、紐材９をロータンク本体１の貫通孔を貫通させるとともに、紐材９の先端部を操作ハンドル２の回動中心よりも外側に固着する。また、貫通する内孔５ａを有する筒部材５を設け、この筒部材５をロータンク本体１内面に内孔５ａと貫通孔とを連通させて突設し、この内孔５ａおよび貫通孔に紐材９を貫通させる。さらに、ロータンク本体１の外壁面に紐材９を摺動係止する引掛け部３ｅを設け、この引掛け部３ｅに紐材９を引掛け保持させる。【選択図】  図１
2004176381.tif 000002
【特許請求の範囲】
【請求項１】
ロータンク本体の外壁面に回動自在に設けた操作ハンドルと、この操作ハンドルと排水弁とを連結して操作ハンドルの回動により排水弁を開閉可能とした連結材とを備えてなる水洗便器のロータンクにおいて、連結材を紐材から形成し、ロータンク本体の外壁に貫通孔を設け、紐材をロータンク本体の貫通孔を貫通させるとともに、紐材の先端部を操作ハンドルの回動中心よりも外側に固着してなることを特徴とする水洗便器のロータンク。
【請求項２】
貫通する内孔を有する筒部材を設け、この筒部材をロータンク本体内面に内孔と貫通孔とを連通させて突設し、この内孔および貫通孔に紐材を貫通させてなることを特徴とする請求項１記載の水洗便器のロータンク。
【請求項３】
ロータンク本体の外壁面に紐材を摺動係止する引掛け部を設け、この引掛け部に紐材を引掛け保持させてなることを特徴とする請求項１乃至２記載の水洗便器のロータンク。
【請求項４】
ロータンク本体の外壁に取付部材を貫設し、この取付部材に筒部材および引掛け部を設けるとともに、操作ハンドルを回動自在に保持させてなることを特徴とする請求項３記載の水洗便器のロータンク。
【発明の詳細な説明】
【０００１】
【発明の属する技術分野】
本発明は、水洗便器のロータンクに関し、特にロータンク本体の外壁面に設けた操作ハンドルの取っ手をロータンク本体外壁面に沿って上下方向に回動させることにより、操作ハンドルに連結された作動レバーを介して排水弁の開閉制御を行うようにした水洗便器のロータンクに関する。
【０００２】
【従来の技術】
従来、図５に示すようなロータンク本体２１の外壁面に回動自在に貫設され取っ手が側方に突出した操作ハンドル２２と、この操作ハンドル２２に連結されて先端部が排水弁に連結する作動レバー２４とを備え、取っ手のロータンク本体外壁面に沿った上下方向の回動により作動レバー２４を介して排水弁の開閉制御を行うようにした水洗便器のロータンクが開示されている。（特開平７−９０８９７号公報参照）
【０００３】
この水洗便器のロータンクでは、操作ハンドル２２を左右のいずれかに回転させると、ロータンク内部に延設した腕曲状の作動レバー２４が操作ハンドル２２の動きに連動して左右いずれかに振れるようにしてあり、作動レバー２４の先端部はチェーン２５を介して排水弁に連結され、操作ハンドル２２の回転により生じる作動レバー２４の振れによって排水弁を引き上げ、ロータンク内の貯留水を排水口から便器へと排出するようにしている。
【０００４】
操作ハンドル２２の回転によって排水弁が開いた後、操作ハンドル２２が自重で元の位置に復帰しても排水弁は水の浮力によってしばらくは開放状態を維持し、ロータンク内の貯留水の水位が排水弁付近にまで低位になると排水弁が自重により閉じて排水口を塞ぐようにしてあり、これにより操作ハンドル２２が自重で元の位置に復帰してもロータンク内の貯留水のほぼ全部が一回の操作で便器に供給できるようにしている。
【０００５】
【特許文献１】
特開平７−９０８９７号公報
【０００６】
【発明が解決しようとする課題】
しかしながら上記従来の水洗便器のロータンクでは、ロータンク内にボールタップ、オーバーフロー管、手洗い給水管、作動レバーなど多くの部品が組み込まれているため、ロータンクをスリムにして小型化を図ろうとする場合、これらの部品間の空間的な余裕が少なくなり、近接する部品の相互干渉が起きやすいという問題がある。特に、腕曲状に屈曲した作動レバーは操作レバーの回動により左右方向に振れるため、作動レバーの先端部には近接する部品との空間的余裕を十分にとる必要があり、ロータンク小型化の妨げになることがあるという問題がある。
【０００７】
本発明は、上記事由に鑑みてなされたものであり、その目的は、ロータンク内の部品干渉がなくロータンク小型化を実現できる水洗便器のロータンクを提供することにある。
【０００８】
【課題を解決するための手段】
請求項１記載の発明は、ロータンク本体の外壁面に回動自在に設けた操作ハンドルと、この操作ハンドルと排水弁とを連結して操作ハンドルの回動により排水弁を開閉可能とした連結材とを備えてなる水洗便器のロータンクにおいて、連結材を紐材から形成し、ロータンク本体の外壁に貫通孔を設け、紐材をロータンク本体の貫通孔を貫通させるとともに、紐材の先端部を操作ハンドルの回動中心よりも外側に固着してなることを特徴として構成している。
【０００９】
このような水洗便器のロータンクでは、操作ハンドルを回転させると操作ハンドルの回動中心よりも外側に先端部が固着された紐材が引っ張られ、これによりロータンク本体の外壁の貫通孔を通じて紐材の他端に連結された排水弁が開放し、開放した排水口を通じて便器へロータンク内の貯留水が排出される。紐材の長さ方向への移動によって排水弁が開閉制御できるので、ロータンク内で場所をとらず、ロータンクの小型化にも対応できる。
【００１０】
また請求項２記載の発明は、請求項１記載の発明において、貫通する内孔を有する筒部材を設け、この筒部材をロータンク本体内面に内孔と貫通孔とを連通させて突設し、この内孔および貫通孔に紐材を貫通させてなることを特徴として構成している。
【００１１】
このような水洗便器のロータンクでは、ロータンク本体内面に突設した筒部材の内孔に紐材を貫通させているため、筒部材先端の内孔開口部から突出した紐材が排水弁に向って伸びて固着される。
【００１２】
また請求項３記載の発明は、請求項１乃至２記載の発明において、ロータンク本体の外壁面に紐材を摺動係止する引掛け部を設け、この引掛け部に紐材を引掛け保持させてなることを特徴として構成している。
【００１３】
このような水洗便器のロータンクでは、ロータンク本体の外壁から突出した紐材が引掛け部に摺動可能に係止した状態で操作ハンドルに固着される。
【００１４】
また請求項４記載の発明は、請求項３記載の発明において、ロータンク本体の外壁に取付部材を貫設し、この取付部材に筒部材および引掛け部を設けるとともに、操作ハンドルを回動自在に保持させてなることを特徴として構成している。このような水洗便器のロータンクでは、取付部材に筒部材および引掛け部を設けるとともに、操作ハンドルを回動自在に保持させているため、ロータンク本体にこれらを保持する構造を設ける必要がない。
【００１５】
【発明の実施の形態】
以下、本発明の実施形態の水洗便器のロータンクを図１乃至図４に基づいて説明する。
【００１６】
図１は、本発明の実施形態の水洗便器のロータンクを示す要部の縦断面図である。また図２は、同上の水洗便器のロータンクを示す要部の分解斜視図である。また図３は、同上の水洗便器のロータンクを示す要部の斜視図である。また図４は、同上の水洗便器のロータンクを示す要部の縦断面図である。
【００１７】
図１乃至図４に示すように、この水洗便器のロータンクは、ロータンク本体１の外壁面に回動自在に設けた操作ハンドル２と、この操作ハンドル２と排水弁１０とを連結して操作ハンドル２の回動により排水弁１０を開閉可能とした連結材とを備えてなる水洗便器のロータンクにおいて、連結材を紐材９から形成し、ロータンク本体１の外壁１ａに貫通孔を設け、紐材９をロータンク本体１の貫通孔を貫通させるとともに、紐材９の先端部を操作ハンドル２の回動中心よりも外側に固着したものである。また、貫通する内孔５ａを有する筒部材５を設け、この筒部材５をロータンク本体１内面に内孔５ａと貫通孔とを連通させて突設し、この内孔５ａおよび貫通孔に紐材９を貫通させている。また、ロータンク本体１の外壁面に紐材９を摺動係止する引掛け部３ｅを設け、この引掛け部３ｅに紐材９を引掛け保持させている。また、ロータンク本体１の外壁１ａに取付部材３を貫設し、この取付部材３に筒部材５および引掛け部３ｅを設けるとともに、操作ハンドル２を回動自在に保持させている。
【００１８】
ロータンク本体１は、通常用いられている陶器製のものを用い、上端開口部に蓋板が開閉自在に設けられた略箱状に形成されている。ロータンク内の操作ハンドル２と反対側には、ボールタップ１２、オーバーフロー管１３、手洗い給水管１４、排水弁１０などの部品が組み込まれている。排水弁１０は便器へロータンク本体１内の貯留水を排出する排水管１１の上端開口部を塞ぐように取り付けられ、中央に紐材９の先端が固着されている。
【００１９】
操作ハンドル２は、ロータンク本体外壁１ａに貫設された取付部材３に回動自在に設けたスピンドル４の外側端部にネジ固定されて操作ハンドル２を左右どちらかに回転できるようにしている。
【００２０】
取付部材３は、円柱部３ｂの一端部にフランジ片３ａを設けて形成されており、この円柱部３ｂ及びフランジ片３ａを軸方向に貫通する２つの丸孔が上下に穿設されている。この下側の丸孔はスピンドル嵌入用であり、上側の丸孔は筒部材嵌入用である。スピンドル嵌入用丸孔３ｃの内径は全長に亘って略同寸に形成されているが、筒部材嵌入用丸孔３ｄの内径は内側部が外側部よりも拡幅されて形成されている。円柱部３ｂの外周には取付ナット８が螺合するネジ部３ｆが形成されている。また、フランジ片３ａの外壁面の筒部材嵌入用丸孔３ｄの周囲には後述するように操作ハンドル２の回動止め用の半円筒状の回動止めリブ３ｇが突設されている。また、フランジ片３ａの外壁面のスピンドル嵌入用丸孔３ｃの下方には後述するように紐材９が貫通して係止する上下方向の係止孔を有する円筒状の引掛け部３ｅが形成されている。この取付部材３は、ロータンク本体１の外壁１ａに穿設した取付孔１ｂに円柱部３ｂを外方から嵌入し、ロータンク本体１内方から取付ナット８を円柱部３ｂのネジ部３ｆに螺着してロータンク本体１の外壁１ａに貫設されている。
【００２１】
スピンドル４は、円柱状の本体部４ｂの一端部にフランジ部４ａを設けて形成されており、本体部４ｂの先端には取付ネジ６が螺合するネジ孔４ｃが穿設されている。本体部４ｂの外径は取付部材３のスピンドル嵌入用丸孔３ｃの内径よりもやや小さく形成され、本体部４ｂをスピンドル嵌入用丸孔３ｃに嵌入した状態で回動できるようにしている。また、フランジ部４ａの外径は取付部材３のスピンドル嵌入用丸孔３ｃの内径よりもやや大きく形成され、フランジ部４ａがスピンドル嵌入用丸孔３ｃに嵌入しないようにしている。このスピンドル４は、本体部４ｂをロータンク本体１内方から取付部材３のスピンドル嵌入用丸孔３ｃを貫通させて取付部材３に取り付けられ、フランジ部４ａが取付部材３の丸孔周囲部に当接した状態で本体部４ｂの先端部が取付部材３のフランジ片３ａの外壁面から外方に突出している。
【００２２】
筒部材５は、取付部材３の筒部材嵌入用丸孔３ｄの内径と略同寸の外径を有す略円筒状に形成され、内孔５ａは貫通する紐材９の外径よりも十分広い大きさに形成されている。この筒部材５は、一端部がロータンク本体１内方から取付部材３の筒部材嵌入用丸孔３ｄに嵌入され、先端が筒部材嵌入用丸孔３ｄの内側部の奥部に当接した状態で取付部材３に固定されている。
【００２３】
操作ハンドル２は、中央にネジ貫通孔２ｇを有する円板状の縦板２ａの周縁に内方に向けて外周壁２ｂを突設し、この外周壁２ｂの下端に棒状の取っ手２ｄを垂下して形成されている。ネジ貫通孔２ｇは、内側部が外側部よりも拡幅された丸孔状に形成されており、内側部の内径はスピンドル４の外径と略同寸に形成されているとともに、外側部の内径は取付ネジ６の脚部がちょうど貫通できる大きさに形成されている。また縦板２ａ内面の下端には紐材９の先端を固定する固定リブ２ｆが突設されている。固定リブ２ｆの紐材固定箇所は、ちょうど取付部材３の引掛け部３ｅと対向する位置に設けられ、操作ハンドル２を回転させたときに固定リブ２ｆが回転し、紐材９が引掛け部３ｅを経由して引っ張られるようにしている。また固定リブ２ｆは、回転により上方に移動したとき取付部材３の回動止めリブの側端に当接してその回転が止まるようにしている。また外周壁２ｂは縦板２ａ外方に延設されて縦板２ａ外壁面を奥面とする凹所２ｃを形成している。この操作ハンドル２は、ロータンク本体１外方からスピンドル４の本体部４ｂ先端部をネジ貫通孔２ｇの内側部に奥まで嵌入し、取付ネジ６の脚部をこのネジ貫通孔２ｇからスピンドル４のネジ孔４ｃに螺着することにより、スピンドル４に固定されている。そして、円板状のハンドルカバー２ｅを凹所２ｃに嵌入固定して取付ネジ６の頭部が外部から見えないようにカバーしている。
【００２４】
紐材９は例えばチェーンなどから形成され一端が排水弁１０に取着され、他端が筒部材５の内孔５ａを内方より貫通し、取付部材３の筒部材嵌入用丸孔３ｄから外方に突出し、引掛け部３ｅの係止孔を上方から貫通した状態で、先端部が操作ハンドル２の固定リブ２ｆに固定されている。紐材９は、操作ハンドル２を操作しない通常状態のときにちょうどたるみがなくなるような長さに設定されている。
【００２５】
このような水洗便器のロータンクの排水動作について以下に説明する。まず、操作ハンドル２を操作しない通常状態のとき、自重により操作ハンドル２の取っ手２ｄは下向きに保持されている。このとき、操作ハンドル２の固定リブ２ｆは取付部材３の引掛け部３ｅと対向している。排水弁１０は閉じた状態に保持され、ロータンク本体１内には貯留水が略満水状態を維持している。次に取っ手２ｄを左右どちらかに持ち上げて操作ハンドル２を回転させると、この回転に伴って固定リブ２ｆが上方へ向けて回転し、紐材９が引掛け部３ｅを経由して引っ張り上げられる。これに伴って紐材９は筒部材５の内孔５ａを外方へ移動し、この紐材９に接続された排水弁１０を引き上げ、ロータンク本体１内の貯留水を排水口から便器へと排出するようにしている。
【００２６】
この操作ハンドル２の回転によって排水弁１０が開いた後、操作ハンドル２が自重で元の位置に復帰しても排水弁１０は水の浮力によってしばらくは開放状態を維持し、ロータンク本体１内の貯留水の水位が排水弁１０付近にまで低位になると排水弁１０が自重により閉じて排水口を塞ぐようにしてあり、これにより操作ハンドル２が自重で元の位置に復帰してもロータンク本体１内の貯留水のほぼ全部が一回の操作で便器に供給できるようにしている。
【００２７】
このような水洗便器のロータンクでは、操作ハンドル２を回転させると操作ハンドル２の回動中心よりも外側に先端部が固着された紐材９が引っ張られ、これによりロータンク本体１の外壁１ａの貫通孔、すなわち筒部材５の内孔５ａ及び取付部材３の筒部材嵌入用丸孔３ｄを通じて紐材９の他端に連結された排水弁１０が開放し、開放した排水口を通じて便器へロータンク本体１内の貯留水が排出される。紐材９の長さ方向への移動によって排水弁１０が開閉制御できるので、ロータンク本体１内で場所をとらず、ロータンクの小型化にも対応できる。
【００２８】
また、ロータンク本体１内面に突設した筒部材５の内孔５ａに紐材９を貫通させているため、筒部材５先端の内孔５ａ開口部から突出した紐材９が排水弁１０に向って伸びて固着される。これにより筒部材５の長さを適切に調節することによって、ロータンク本体１内での紐材９の配置を適切なものとすることができる。また、ロータンク本体１の外壁１ａから突出した紐材９が引掛け部３ｅに摺動可能に係止した状態で操作ハンドル２に固着される。これにより引掛け部３ｅの位置を適切に設定することによって、操作ハンドル２の回転によって必ず紐材９が引っ張り上げられるように設定できる。また、取付部材３に筒部材５および引掛け部３ｅを設けるとともに、操作ハンドル２を回動自在に保持させているため、ロータンク本体１にこれらを保持する構造を設ける必要がない。
【００２９】
【発明の効果】
請求項１記載の発明では、操作ハンドルを回転させると操作ハンドルの回動中心よりも外側に先端部が固着された紐材が引っ張られ、これによりロータンク本体の外壁の貫通孔を通じて紐材の他端に連結された排水弁が開放し、開放した排水口を通じて便器へロータンク内の貯留水が排出される。紐材の長さ方向への移動によって排水弁が開閉制御できるので、ロータンク内で場所をとらず、他の部品との相互干渉による空間的余裕を持たせる必要もなく、ロータンクの小型化に対応できる。
【００３０】
また請求項２記載の発明では、筒部材の長さを適切に調節することによって、ロータンク内での紐材の配置を適切なものとすることができる。
【００３１】
また請求項３記載の発明では、引掛け部の位置を適切に設定することによって、操作ハンドルの回転によって必ず紐材が引っ張り上げられるように設定できる。
【００３２】
また請求項４記載の発明では、取付部材に筒部材および引掛け部を設けるとともに、操作ハンドルを回動自在に保持させているため、ロータンク本体にこれらを保持する構造を設ける必要がない。
【図面の簡単な説明】
【図１】本発明の実施形態の水洗便器のロータンクを示す要部の縦断面図である。
【図２】同上の水洗便器のロータンクを示す要部の分解斜視図である。
【図３】同上の水洗便器のロータンクを示す要部の斜視図である。
【図４】同上の水洗便器のロータンクを示す要部の縦断面図である。
【図５】従来の水洗便器のロータンクを示す要部の縦断面図である。
【符号の説明】
１    ロータンク本体
１ａ    外壁
１ｂ    取付孔
２    操作ハンドル
２ａ    縦板
２ｂ    外周壁
２ｃ    凹所
２ｄ    取っ手
２ｅ    ハンドルカバー
２ｆ    固定リブ
２ｇ    ネジ貫通孔
３    取付部材
３ａ    フランジ片
３ｂ    円柱部
３ｃ    スピンドル嵌入用丸孔
３ｄ    筒部材嵌入用丸孔
３ｅ    引掛け部
３ｆ    ネジ部
３ｇ    回動止めリブ
４    スピンドル
４ａ    フランジ部
４ｂ    本体部
４ｃ    ネジ孔
５    筒部材
５ａ    内孔
６    取付ネジ
８    取付ナット
９    紐材
１０    排水弁
１１    排水管
１２    ボールタップ
１３    オーバーフロー管
１４    手洗い給水管
２１    ロータンク本体
２２    操作ハンドル
２３    スピンドル
２４    作動レバー
２５    チェーン
【図１】
2004176381.tif 000003
【図２】
2004176381.tif 000004
【図３】
2004176381.tif 000005
【図４】
2004176381.tif 000006
【図５】
2004176381.tif 000007